(57)【特許請求の範囲】
【請求項１】
室内機と、前記室内機への運転指示操作に使用されるキーを備えたリモコンとを備え、
前記リモコンは、操作されたキーを検出するキー入力部と、時刻を計時する計時手段と、前記キー入力部で検出したキーに対応する処理の受付可否を時間帯毎に記憶する操作キー受付テーブルを格納する記憶部と、これらを制御するリモコン制御部とを備え、
前記リモコン制御部は、前記計時手段から入力した現在の時刻と対応する前記操作キー受付テーブルの時間帯における前記キーが受付不可となっている前記キーの操作を検出した場合、同キーの前記受付を行わないと共に、
現在の時刻が現在の前記時間帯の終了時刻から予め定めた所定時間前までの間である場合、現在の前記時間帯の終了時刻を予め定めた所定延長時間だけ繰り下げることを特徴とする空気調和機。
【発明の詳細な説明】
【技術分野】
【０００１】
本発明は、空気調和機に係わり、より詳細には、空気調和機を操作するリモコンのチャイルドロック機能に関する。
【背景技術】
【０００２】
従来より子供のイタズラ操作防止のため、電子機器の操作部にはキー操作を制限するチャイルドロック機能が備えられている。例えば『チャイルドロックキー』を長押しすることで、この機能のオン/ オフを行うことができる。しかしながら、この方式ではチャイルドロックをオン状態の時、ユーザーが通常の操作を行おうとした場合、この通常操作に先立ってチャイルドロック機能をオフするキー操作を行う必要があり、さらに、通常の操作の後に、もとの状態に戻すためチャイルドロック機能をオンするキー操作を行う必要があり、ユーザーの操作が繁雑であった。また、この機能のオン操作を忘れてしまう場合があった。
このため、視聴制限機能付のテレビにおいて、時間帯によりリモコンのチャイルドロック機能のオン/ オフを自動的に行うものが提案されている（例えば、特許文献１参照。）。
【０００３】
一方、空気調和機においては、複数の家族、例えば幼児やその両親、同居している操作に不慣れな高齢者や操作をさせてはならない幼児など、操作する能力が異なる複数の人間が１台の空気調和機を１つのリモコンで共有して操作する場合がある。
【０００４】
例えば、幼児の場合はリモコンを玩具として取り扱ってしまい、種々のキー操作により誤った運転を行う場合があった。従来から使用されている赤外線リモコンの場合は室内機へ向かって操作する必要があり、必ずしもイタズラ操作による赤外線信号が室内機へ届くことはなかったが、近年採用されつつある無線リモコンでは、操作においてリモコンの向きに関係がない。このため、イタズラ操作による空気調和機の意図しない動作を防止するためチャイルドロック機能が備えられている。ただし、この機能を単純にオン/ オフする機能だけであると、前述のように通常の運転操作が繁雑であった。
【０００５】
このため、例えば母親が買い物に外出し、幼児が一人で留守番する時間帯だけキー操作の受付を禁止するようにチャイルドロック機能をスケージュールで管理する方法が考えられる。この時間帯内であれば幼児がいくらリモコンをイタズラしたとしても、全てのキーは受け付けられない。
しかしながら、例えばこの時間帯以降は全てのキーを受け付ける設定がされていた時、スケジュール通りに母親が帰ってこない時など幼児を監督することができない場合、幼児が継続してイタズラしている操作が次の時間帯になって受け付られてしまい、意図しない空気調和機の運転が行われてしまう虞があった。
【０００６】
このため、予め定めたスケジュールの時間帯によってチャイルドロック機能でキー操作の受付禁止管理を行っている場合、意図しないキー操作が行われた時に現在の時間帯のキー操作の受付禁止管理を自動延長することができるリモコンを備えた空気調和機が望まれていた。
【先行技術文献】
【特許文献】
【０００７】
【特許文献１】特開２０００−３５４２０９号公報（第４−５頁、図３）
【発明の概要】
【発明が解決しようとする課題】
【０００８】
本発明は以上述べた問題点を解決し、予め定めたスケジュールの時間帯によってチャイルドロック機能でキー操作の受付禁止管理を行っている場合、意図しないキー操作が行われた時に現在の時間帯のキー操作の受付禁止管理を自動延長することができるリモコンを備えた空気調和機を提供することを目的とする。
【課題を解決するための手段】
【０００９】
本発明は上述の課題を解決するため、本発明の請求項１に記載の発明は、室内機と、前記室内機への運転指示操作に使用されるキーを備えたリモコンとを備え、
前記リモコンは、操作されたキーを検出するキー入力部と、時刻を計時する計時手段と、前記キー入力部で検出したキーに対応する処理の受付可否を時間帯毎に記憶する操作キー受付テーブルを格納する記憶部と、これらを制御するリモコン制御部とを備え、
前記リモコン制御部は、前記計時手段から入力した現在の時刻と対応する前記操作キー受付テーブルの時間帯における前記キーが受付不可となっている前記キーの操作を検出した場合、同キーの前記受付を行わないと共に、
現在の時刻が現在の前記時間帯の終了時刻から予め定めた所定時間前までの間である場合、現在の前記時間帯の終了時刻を予め定めた所定延長時間だけ繰り下げることを特徴とする。
【発明の効果】
【００１０】
以上の手段を用いることにより、本発明による空気調和機によれば、請求項１に係わる発明は、時間帯ごとのスケジュールに従ってチャイルドロック機能を実施中に、現在の時間帯の終了時刻から予め定めた所定時間前までの間に無効キーの操作を検知した場合、現在の時間帯の終了時刻を予め定めた所定延長時間だけ繰り下げる処理を行う。このため、幼児のイタズラなどが時間帯を跨いで行われると予想される場合であっても、自動的に現在のチャイルドロック状態を延長して、次の時間帯でのイタズラによる意図しない操作による誤った運転を防止することができる。
【図面の簡単な説明】
【００１１】
【図１】本発明による空気調和機を示す斜視図である。
【図２】本発明によるリモコンの実施例を示すブロック図である。
【図３】本発明によるリモコンの実施例を示す説明図である。
【図４】本発明による操作キーの制限の原理を説明する説明図である。
【図５】本発明によるキー操作の制限を管理するキー操作受付テーブルの説明図である。
【図６】本発明によるリモコン制御部の処理を示すフローチャートである。
【発明を実施するための形態】
【００１２】
以下、本発明の実施の形態を、添付図面に基づいた実施例として詳細に説明する。
本発明の特徴は予め定めたスケジュールの時間帯によってチャイルドロック機能でキー操作の受付禁止管理を行っている場合、意図しないキー操作が行われた時に現在の時間帯のキー操作の受付禁止管理を自動延長する機能を空気調和機が備えていることである。
【実施例１】
【００１３】
図１は本発明による空気調和機を示す斜視図である。空気調和機としては室内機２と無線リモコン１と図示しない室外機とを備えている。
この室内機２は前面パネル１１と、この前面パネル１１を支持するグリル１２と、このグリル１２の右に配置された右側面カバー１４と、このグリル１２の左に配置された左側面カバー１５と、右側面カバー１４と左側面カバー１５との間の上方に配置された上部吸込グリル１３とを備えている。
【００１４】
上部吸込グリル１３には複数の格子により区画された孔が配置されており、ここが空気を取り入れる上部吸込口３５ａになっている。また、同様にグリル１２には図示しない複数の孔が配置され前部吸込口３５ｂが形成されており、これらを合わせて吸込口３５を構成している。室内機２の運転時には前面パネル１１が前方に回動され、グリル１２側からも空気を取り入れる構造になっている。また、グリル１２の前面右側の下方内部には無線リモコン１と通信を行う無線通信部１６が備えられている。一方、この室内機２は無線リモコン１からの電波を受信して空調運転を行うようになっている。
【００１５】
図２は本発明による無線リモコン１の実施例を示すブロック図である。無線リモコン１は、ユーザーによって操作されたキーの状態を入力するキー入力部２２と、電波を介して室内機２へ指示データを送信したり、室内機２からの通信データを受信する無線通信部２６と、表示部２１と、データを記憶する記憶部２３と、時刻を計時する計時手段である時計部２４と、これらを制御するプログラムを記憶したマイコンを備えたリモコン制御部２５とを備えている。なお、時計部２４はマイコンに内蔵されているタイマなどで代替してもよい。
【００１６】
なお、記憶部２３にはユーザーが指定した時間帯毎に指定されたキーの受付禁止／許可を管理する操作キー受付テーブルが記憶されており、リモコン制御部２５は現在の時刻を時計部２４から読出して、このテーブルの時間帯と比較し、指示された時間帯になったら、このテーブルに記憶されているキーの受付禁止／許可を行う。なお、キーの受付とは、キー入力部２２で検出したキー操作と対応する処理、例えば後述する運転キーが押下されたら運転の開始や運転の停止の指示データを室内機２へ送信する処理を実行することである。
【００１７】
図３は本発明による無線リモコンの実施例を示す説明図である。図３（Ａ）は無線リモコン１の正面図であり、図３（Ｂ）と図３（Ｃ）は表示部２１の表示内容の一例を示している。なお以降の説明において『全てのキー操作が無効』などの表現の場合、チャイルドロックキーの長押し操作は除外されているものとする。チャイルドロックキーの長押しはチャイルドロック機能の状態に係わらず常に有効であり、いかなる状態でも受け付けることができる。
【００１８】
図３（Ａ）に示すように無線リモコン１は、その上部に液晶パネルを備えた表示部２１を、その下部にはキー操作を受け付ける複数のキーを備えたキー入力部２２をそれぞれ備えている。表示部２１には図３（Ｂ）や図３（Ｃ）に示すように各種の運転情報が表示されるようになっており、エアコンが運転中であることを示す『運転中』マークや現在の時刻、冷房／暖房などの運転モード、設定温度値を表示している。
【００１９】
一方、図３（Ａ）に示すようにキー入力部２２は、運転の開始／停止を指示する運転キー２２ｂや設定温度を上げ下げする温度キー２２ｃやチャイルドロック機能をオン／オフするチャイルドロックキー２２ａや、運転モードの切り換えを行う運転切換キー、おやすみタイマー運転キーなど、各種の操作キーが配置されている。なお、温度キー２２ｃは上下に２つのキーが配置されており、上側のキーは温度の１度上昇、下側のキーは温度の１度下降を指示するようになっている。
【００２０】
チャイルドロック機能はチャイルドロックキー２２ａを３秒間長押しすることでオン/ オフすることができる。チャイルドロック機能がオンになっている時は図３（Ｂ）に示すようにチャイルドロックマークが点灯しており、チャイルドロック機能がオフの場合は図３（Ｃ）に示すようにチャイルドロックマークが消灯している。
【００２１】
なお、後述するように運転キー２２ｂや温度キー２２ｃやこれら以外のキーが個別に禁止されている場合はこれに対応して、図３（Ｂ）に示すように時計の時刻表示の下に『運転』、『温度』、『他』の受付禁止キー種別の表示が行われる。この表示が行われている場合、対応するキーを操作しても受付を拒否される。
【００２２】
また、チャイルドロックマークが点灯しており、かつ、これらの３つの受付禁止キー種別が消灯の場合は全てのキーの受付が禁止されていることを示す。さらに、後述するようにスケジュールに従ってチャイルドロック機能が実施される場合は、指定された時間帯にチャイルドロックマークが自動的に点滅してキー受付が制限される。このようにスケジュールでチャイルドロック機能を実行している場合はチャイルドロックマークが点滅して報知するようになっている。
なお、チャイルドロックキー２２ａのようにチャイルドロック機能をオン/ オフするキーを他の制限を受けるキーと区別して特定キーと呼称する。
【００２３】
図４は本発明による操作キーの受付制限の原理を説明する説明図である。図４（１）は無線リモコン１が使用される場合の複数ユーザーの生活パターンを、図４（２）はチャイルドロック機能のオン/ オフ状態を、図４（３）はユーザーによるキー操作の状態をそれぞれ示している。なお、図４（２）のａ）〜ｃ）は運転キー、温度キー、その他キーがそれぞれ受付可／受付不可に設定されている状態を示しており、これらの設定は予めユーザーによってスケジュールの時間帯毎に設定されている。一方、横軸は時間を示しており、各時間帯毎に図４（２）のａ）〜ｃ）を設定しておくことにより、時刻に対応したキー受付制限を自動的に行うようになっている。
【００２４】
図５はこのキー受付制限を自動的に行うためのキー操作受付テーブルを示す説明図である。このテーブルは時刻が縦方向に０：００〜２３：００まで１時間毎に時間帯に区分されており、横方向にはキー操作の受付管理対象となる運転キー、温度キー、その他キー（運転キーと温度キー以外のすべてのキーのグループ）が並んでいる。このように受付管理の対象となるキーを所定キーと呼称する。
そして各所定キーは各時間帯毎に『○』受付可、もしくは、『×』受付不可が記憶されている。これらは予めユーザーが決定して無線リモコン１に記憶させたものである。なお、テーブル上で受付可となっている所定キーを有効キー、受付不可となっている所定キーを無効キーとそれぞれ呼称する。
【００２５】
例えば０時台〜７時台までの時間帯では全てのキーが受付可能（○印）であり、８時台〜９時台までの時間帯では運転キーのみ受付可能であり、１０時台〜１１時台までの時間帯では全てのキーが受付不可であり、１２時台〜２０時台までの時間帯では温度キーのみ受付可能であり、２１時台以降の時間帯では全てのキーが受付可能となっている。このキー操作受付テーブルは製品の初期値としてすべてキーが受付可になっており、ユーザーによって１箇所でもキーの受付不可が設定されると、以降はこのテーブルと現在の時刻によって前述した各キーの受付制限（チャイルドロック機能）が実行される。
なお、図５の例では８時台〜２０時台までが何らかのキー受付制限を受けるチャイルドロック機能がオン状態である。
【００２６】
図４では図５で説明した受付制限が自動的に行われる様子を示している。図４（１）の生活パターンにおいて、０時台〜７時台までの時間帯では両親と祖父は在宅しており幼児は自宅で就寝中であり、無線リモコン１の操作はいずれかの両親が行うため全てのキーが有効キーに設定されており、リモコン制御部２５は操作キー受付テーブルに従ってすべてのキーを受け付ける。
【００２７】
ただし、図４（３）で示すように０時台〜７時台までの時間帯にチャイルドロックキーが長押しされた場合、リモコン制御部２５は従来のチャイルドロック機能と同様に全てのキーを受付不可状態にする。再度、チャイルドロックキーが長押しされた場合、リモコン制御部２５は全てのキーを受付可の状態にする。これは幼児が早起きしたりして一時的にロックしたい場合などに有効である。
【００２８】
一方、８：００を過ぎると図４（１）に示すように父親は会社に出勤し、母親と幼児と祖父とが在宅となる。例えば夏の場合、外気温の上昇に伴ってエアコンの運転を開始する場合があるため、祖父が自由に運転開始できるように運転キーの受付のみ許可とし、それ以外のキーは幼児のイタズラ防止のために受付不可に設定されている。
【００２９】
一方、例えば急激に外気温が上昇し母親が設定温度を１度だけ下げるような場合、図４（３）に示すように温度キーの下側のキーを長押し（例えば３秒以上）する。
リモコン制御部２５は、スケジュールによる管理において温度キーが受付禁止、つまり、チャイルドロック機能がオン状態であったとしても、温度キーの下側のキーが長押しである時はその１操作のみ受け付ける。（１操作受付機能）これは他のキーも同様であり、長押しされたキーはその時のみ受け付ける。
【００３０】
一方、１０：００を過ぎると母親は買い物のため外出し、祖父と幼児のみが在宅となる。この場合、幼児の監督がおろそかになるため、例えば予めエアコンを自動運転に指示しておき、この母親の外出期間中は全てのキー受付を禁止するように設定している。スケジュールでは母親の帰宅が１２：００となっているが、必ずしもこの時間までに帰宅できない場合がある。従って次のスケジュールへ移行する１２：００前に幼児が無線リモコン１をイタズラしていた時、次のスケジュールでキーの受付制限が解除になっていると１２：００以降のイタズラ操作を受け付けてしまう虞がある。
【００３１】
これを防止するため、リモコン制御部２５は次のスケジュールへ移行する時刻の所定時間前、つまり、現在のスケジュールの終了時刻の所定時間前、例えば３０分前から現在のスケジュールの終了時刻までに受付不可のキー操作（受付が禁止されているキー操作）が行われた場合、無線リモコン１を操作する能力を備えていないユーザーによるイタズラと判断し、次のスケジュールの開始時刻（現在のスケジュールの終了時刻）を所定延長時間、例えば３０分だけ繰り下げる。（スケジュール延長機能）具体的には１２：００までの本来のスケジュールを３０分延長し、１２：３０まで継続管理を行う。なお、この延長は無効なキー操作が行われなくなり、所定時間が経過するまで繰り返し延長される。なお、所定時間後にはスケジュールによる次の時間帯管理へ移行するが、特別な操作を行うことにより直ちに次の時間帯管理へ移行するようにしてもよい。
【００３２】
一方、スケジュールが予定通りの場合、１２：００には母親が買い物から帰宅し、母親と幼児と祖父が在宅となる。午後になると外気温が上昇すると思われるため温度キーのみ受付可能に設定し、それ以外は受付禁止に設定している。このように、スケジュールで受付が禁止されたキーがある時、つまり、チャイルドロック機能がオン状態の時にチャイルドロックキーが長押しされた場合、リモコン制御部２５は一時解除時間、例えば１分だけチャイルドロック機能をオフして一時的に全てのキー受付を有効にする。（一時ロック解除機能）なお、このようにチャイルドロック機能がオンの時に一時的に機能をオフさせるためのキーを特定キーと呼称する。
【００３３】
これは複数の操作を続けて行う場合に有効であり、チャイルドロックキーを長押しした後、温度キー操作と風量キー操作と風向キー操作など複数の操作を連続して行うことができる。なお、キー操作が１分以内に連続している場合は一時解除時間は自動延長される。つまり、最後のキー操作から１分が経過した時、自動的に元のスケジュールによる管理に戻る。
【００３４】
一方、２１：００になると幼児は就寝し、無線リモコン１の操作は両親が行うため、チャイルドロックを解除して全てのキー操作を受け付ける設定がされている。
このように各家庭の生活パターンに対応してチャイルドロック機能をスケジュール管理することでユーザーの負担を軽減することができる。
【００３５】
以上説明したように、時間帯ごとのスケジュールに従ってチャイルドロック機能を実施中に、現在の時間帯の終了時刻から予め定めた所定時間前までの間に無効キーの操作を検知した場合、現在の時間帯の終了時刻を予め定めた所定延長時間だけ繰り下げる処理を行う。このため、幼児のイタズラなどが時間帯を跨いで行われると予想される場合であっても、自動的に現在のチャイルドロック状態を延長して、次の時間帯でのイタズラによる意図しない操作による誤った運転を防止することができる。
【００３６】
次に、本発明に係わる無線リモコン１の処理動作を、図６に示すリモコン制御部２５のフローチャートを用いて説明する。なお、図６に記載のＳＴはステップを表し、これに続く数字はステップ番号を、また、ＹはＹｅｓを、ＮはＮｏをそれぞれ表している。なお、前提条件としてユーザーの設定により予め図５の操作キー受付テーブルの内容が記憶部２３に記憶されているものとする。
【００３７】
まず最初にリモコン制御部２５はキー入力部２２を介してキー操作が有るか確認する（ＳＴ１）。キー操作が無い場合（ＳＴ１−Ｎ）、キー操作受付テーブルの現在の時刻と対応する受付不可のキーを抽出して記憶すると共に、抽出した受付不可のキーを表示部の受付禁止キー種別として表示する（ＳＴ１４）。そしてＳＴ１へジャンプする。
【００３８】
一方、キー操作が有る場合（ＳＴ１−Ｙ）、スケジュールによるキー受付制限管理中か確認する（ＳＴ２）。これは現在の時刻と対応するキー操作受付テーブルの時間帯に、受付不可のキーが有る場合を示す。スケジュールによるキー受付制限管理中でない場合（ＳＴ２−Ｎ）、つまり、キー操作受付テーブルにおいて現在の時間帯で受付制限されているキーが無い場合、操作されたキーはチャイルドロックキーの長押しか確認する（ＳＴ１２）。
【００３９】
操作されたキーがチャイルドロックキーの長押しの場合（ＳＴ１２−Ｙ）、チャイルドロック機能がオフの場合はチャイルドロック機能をオンに、また、既にチャイルドロック機能がオンの場合はチャイルドロック機能をオフに、それぞれ実行すると共に、チャイルドロックマークを表示部２１に点灯させる（ＳＴ１３）。そしてＳＴ１へジャンプする。操作されたキーがチャイルドロックキーの長押しでない場合（ＳＴ１２−Ｎ）、チャイルドロック機能がオン状態であるか確認する（ＳＴ１５）。チャイルドロック機能がオン状態の場合（ＳＴ１５−Ｙ）、全てのキーを無視するためＳＴ１へジャンプする。チャイルドロック機能がオン状態でない場合（ＳＴ１５−Ｎ）、操作されたキーを受け付けて対応する処理を実行する（ＳＴ９）。そしてＳＴ１へジャンプする。
【００４０】
一方、スケジュールによるキー受付制限管理中の場合（ＳＴ２−Ｙ）、つまり、キー操作受付テーブルにおいて現在の時間帯で受付制限されているキーが１つでも存在する場合、操作されたキーは長押しか確認する（ＳＴ３）。操作されたキーが長押しの場合（ＳＴ３−Ｙ）、操作されたキーはチャイルドロックキーか確認する（ＳＴ１０）。
【００４１】
操作されたキーがチャイルドロックキーでない場合（ＳＴ１０−Ｎ）、ＳＴ９へジャンプしてキー操作を受け付ける。これが１操作受付機能でのキー受付である。つまり、チャイルドロックキーでない長押しキーは受付処理を行う。操作されたキーがチャイルドロックキーである場合（ＳＴ１０−Ｙ）、一時ロック解除機能を実行するために一時解除タイマ（１分）を起動する（ＳＴ１１）。そしてＳＴ１へジャンプする。
【００４２】
一方、操作されたキーが長押しでない場合（ＳＴ３−Ｎ）、次に操作されたキーは受付不可のキーか確認する（ＳＴ４）。これはＳＴ４で常に現在の時刻に対応する受付不可のキーを抽出して記憶しているため、この記憶した受付不可のキー種別と操作されたキー種別を比較することで判別できる。操作されたキーが受付不可のキーでない場合（ＳＴ４−Ｎ）、ＳＴ９へジャンプしてキーを受け付ける。
【００４３】
操作されたキーが受付不可のキーである場合（ＳＴ４−Ｙ）、次に一時解除タイマは起動中か確認する（ＳＴ５）。一時解除タイマが起動中の場合（ＳＴ５−Ｙ）、一時ロック解除機能を実行中であるため、一時解除タイマを再起動（ＳＴ８）した後、ＳＴ９へジャンプして受付不可のキーであってもすべて受付処理を行う。
【００４４】
一方、一時解除タイマが起動中でない場合（ＳＴ５−Ｎ）、現在の時間帯終了時刻まで３０分未満か確認する（ＳＴ６）。現在の時間帯終了時刻とは操作キー受付テーブルにおいて、現在のキー操作受付可／不可の状態が次に変化する時間である。例えば図５において時刻が１２：００までとそれ以降で各キーのキー操作受付可／不可の状態が変化している。従って現在が１１：４５分なら現在の時間帯は１１時台であり、現在の時間帯終了時刻は１２：００である。
【００４５】
現在の時間帯終了時刻まで３０分未満の場合（ＳＴ６−Ｙ）、現在の時間帯の終了時刻を３０分延長する（ＳＴ７）。このため操作キー受付テーブルの次の時間帯開始時刻を元のスケジュールに対して３０分遅延させた値に書き換える。具体的には現在が１１：４５分なら次の時間帯の開始時刻である１２：００を変更するため、これに置き換えて１２：３０を書き込む。そしてＳＴ１へジャンプする。なお、フローチャートに記載しないが、変更された操作キー受付テーブルの時間帯の時刻は２４：００にもとに戻すようになっている。一方、次の時間帯まで３０分以上の場合（ＳＴ６−Ｎ）、ＳＴ１へジャンプしてこのキー操作を受け付けない。
【００４６】
なお、本実施例ではリモコンとして無線リモコンを用いた例を説明しているが、これに限るものでなく、赤外線リモコンなどであってもよい。また、エアコン用のリモコンでなく、ビデオ関連機器やその他家庭用の電子機器に使用されるリモコンであってもよい。
また、本実施例では受付制限される所定キーを、運転キー、温度キー、その他キーに区分けして管理しているが、これに限るものでなく、個別のキー毎に受付可／不可の管理を行うようにしてもよい。
【符号の説明】
【００４７】
１  無線リモコン
２  室内機
１１  前面パネル
１２  グリル
１３  上部吸込グリル
１４  右側面カバー
１５  左側面カバー
１６  無線通信部
２１  表示部
２２  キー入力部
２２ａ  チャイルドロックキー
２２ｂ  運転キー
２２ｃ  温度キー
２３  記憶部
２４  時計部（計時手段）
２５  リモコン制御部
２６  無線通信部
３５  吸込口
３５ａ  上部吸込口
３５ｂ  前部吸込口
【図１】
0005790379.tif 000002
【図２】
0005790379.tif 000003
【図３】
0005790379.tif 000004
【図４】
0005790379.tif 000005
【図５】
0005790379.tif 000006
【図６】
0005790379.tif 000007